(57)【要約】【課題】緊急性を要する場合の列車運行指令装置による指令入力を、迅速且つ正確に実施できる列車列番登録システム及び列車列番登録方法を提供する。【解決手段】列車運行制御装置１と、列車の運行を制御し監視する列車運行指令装置２と、ディスプレイ３とを備え、軌道上に在線している任意の列車に対して列車運行指令装置２に事前に登録されている列車の運行計画を割り当てて登録する列車列番登録システムであって、列車運行指令装置２は、列車運行制御装置１から指示を受けて、登録対象の列車の現在の状態を取得し、取得した列車状態から判断し、あらかじめ登録されたすべての列番から登録可能な列番を検索し一覧を作成し、作成した一覧をディスプレイ３上に表示させ、ディスプレイ３上に表示された列番一覧から選択された任意の列番を列車に登録する。【選択図】図１
2008037290.tif 000002
【特許請求の範囲】
【請求項１】
列車運行制御装置と、列車の運行を制御し監視する列車運行指令装置と、ディスプレイとを備え、軌道上に在線している任意の列車に対して前記列車運行指令装置に事前に登録されている列車の運行計画を割り当てて登録する列車列番登録システムであって、
前記列車運行指令装置は、前記列車運行制御装置から指示を受けて、登録対象の列車の現在の状態を取得し、取得した列車状態から判断し、あらかじめ登録されたすべての列番から登録可能な列番を検索し一覧を作成し、作成した一覧を前記ディスプレイ上に表示させ、前記ディスプレイ上に表示された前記列番一覧から選択された任意の列番を前記列車に登録することを特徴とする列車列番登録システム。
【請求項２】
列車の運行を制御及び監視する列車運行指令装置における、軌道上に在線している任意の列車に対して前記列車運行指令装置に事前に登録されている列車の運行計画を割り当てる列車列番登録方法であって、
前記列車の現在の状態（在線位置など）を取得する処理手順と、前記ディスプレイ上に前記列車に登録可能な前記列番の一覧を表示するために前記処理手順で取得した列車状態から判断し、あらかじめ前記列車運行指令装置に登録されたすべての列番から登録可能な列番を検索し一覧を作成する処理手順と、前記ディスプレイ上に表示された前記列番一覧から選択された任意の列番を前記列車に登録する処理手順とを含むことを特徴とする列車列番登録方法。
【発明の詳細な説明】
【技術分野】
【０００１】
本発明は、列車列番登録システム及び列車列番登録方法に関し、特に列車の運行を制御及び監視する列車運行指令装置における列車列番登録方式に関するものである。
【背景技術】
【０００２】
列車運行指令装置による列車の運行制御および監視は、軌道上に在線している列車に対して、列車運行指令装置に事前に登録されている列車の運行計画（実施ダイヤ又は列番ともいう）を割り当てる（登録するともいう）ことによって行われている（特許文献１参照）。列車の運行を司る指令員は、臨時列車を追加運転する場合や、天災・事故などにより列車の運転を休止（運休ともいう）する場合など、実施ダイヤに対して運用の変更（運転整理ともいう）を行う際、列車列番登録装置によって、改めて在線する列車に対して列番を登録する必要が生じる。この時、指令員は、対象となっている列車に対して登録可能な列番を、指令員自らが検索し、列車列番登録装置に列番入力操作を実施しなければならない。
【０００３】
上記技術では、天災・事故などで列車の運行が大幅に乱れた際などに、運転整理の対象となる列車が多数に渡った時、運転整理の対象となっている列車に対して登録可能な列番を、実施ダイヤの中から正確に検索することが難しい。さらに、特急・快速等の列車種別が複数設定可能である場合など、登録可能な列番が多数検索された場合、列車列番登録装置に、本来登録する予定の列番とは異なる、誤った列番を入力操作してしまう可能性がある。
【０００４】
この問題を解決するため、列車列番登録装置において列番を登録する際、入力された列番のダイヤ関連情報（運行日付・運転区間・到着時刻・着発時刻・使用番線など）をチェックし、番線競合などの運行に支障をきたす不合理を検出する方式（合理性チェック）が提案されている。
【特許文献１】特開２００６−６２５１３号公報
【発明の開示】
【発明が解決しようとする課題】
【０００５】
従来技術では、列車列番登録装置に入力された列番に対してのみ合理性チェックを実施しているため、指令員が入力した列番が、合理性チェックで不合理と判定された場合、正しい列番を再度入力する必要がある。また、登録可能な列番を指令員自らが検索し、列車列番登録装置に列番入力操作を実施しなければならないという点について解決されていない。
【０００６】
本発明の目的は、上述した問題点に対処して、列車の運行が乱れた時の復旧作業など、緊急性を要する場合の列車運行指令装置による指令入力を、迅速且つ正確に実施することが可能な列車列番登録システム及び列車列番登録方法を提供することにある。
【課題を解決するための手段】
【０００７】
上記課題を解決するために、本発明の列車列番登録方式は、軌道上に在線している列車の状況をディスプレイに表示させる列車運行指令装置における、前記列車在線状況画面に表示された運転整理対象の列車を選択したときに前記列車に登録可能な列番の一覧を表示し、前記列車在線状況画面に表示された前記登録可能列番の一覧から登録対象である列番を選択することによって任意の列番を登録する方法であって、前記列車在線状況画面に表示された前記運転整理対象となる列車をポインティングデバイスを用いて選択したときに、前記列車に登録可能な列番の一覧を表示するために、選択された前記列車の状態（在線位置など）を取得する処理工程と、前記工程で取得した列車状態から判断し、あらかじめ前記列車運行指令装置に登録されたすべての列番から登録可能なものを検索し一覧を作成する処理工程と、前記一覧を前記列車在線状況画面上に表示させる表示処理の工程と、前記列車在線状況画面に表示された前記一覧から任意に選択された列番を前記列車に登録する処理工程とを含むことを特徴とするものである。
【０００８】
すなわち、本発明は、列車運行制御装置と、列車の運行を制御し監視する列車運行指令装置と、ディスプレイとを備え、軌道上に在線している任意の列車に対して前記列車運行指令装置に事前に登録されている列車の運行計画を割り当てて登録する列車列番登録システムであって、前記列車運行指令装置は、前記列車運行制御装置から指示を受けて、登録対象の列車の現在の状態を取得し、取得した列車状態から判断し、あらかじめ登録されたすべての列番から登録可能な列番を検索し一覧を作成し、作成した一覧を前記ディスプレイ上に表示させ、前記ディスプレイ上に表示された前記列番一覧から選択された任意の列番を前記列車に登録する列車列番登録システムである。
【０００９】
また、本発明は、列車の運行を制御及び監視する列車運行指令装置における、軌道上に在線している任意の列車に対して前記列車運行指令装置に事前に登録されている列車の運行計画を割り当てる列車列番登録方法であって、前記列車の現在の状態（在線位置など）を取得する処理手順と、前記ディスプレイ上に前記列車に登録可能な前記列番の一覧を表示するために前記処理手順で取得した列車状態から判断し、あらかじめ前記列車運行指令装置に登録されたすべての列番から登録可能な列番を検索し一覧を作成する処理手順と、前記ディスプレイ上に表示された前記列番一覧から選択された任意の列番を前記列車に登録する処理手順とを含む列車列番登録方法である。
【発明の効果】
【００１０】
本発明によれば、列車在線状況画面上に表示された列車の中から運転整理対象となる列車を、ポインティングデバイスを用いて選択したときに、前記列車に登録可能な列番の一覧を表示するため、ユーザーである指令員が自ら検索する労力、時間をかけることなく目的の列番を選択することができる。また、上記列番一覧表示をポインティングデバイスにより選択し、クリック操作により選択した任意の列番を上記列車に登録することが出来る。
【００１１】
これらにより、登録可能列番の検索・入力操作が省かれるので、指令員の運転指令操作の負担を軽減することができ、列車の運行が乱れた時の復旧作業などの緊急性を要する場合の列車運行指令装置による指令入力を、迅速且つ正確に実施することが可能な列車列番登録装置を得ることができる。
【発明を実施するための最良の形態】
【００１２】
本発明を実施するための最良の形態を説明する。
本発明の列車列番登録システム及び列車列番登録方法の実施例について、図面を用いて説明する。
【実施例】
【００１３】
実施例を説明する。図１は、本実施例の列車列番登録方式が適用される列車運行指令装置の一実施形態の全体構成を示す図である。本実施例の列車列番登録方式は、現在の列車の在線状況を路線図形式でディスプレイ３の表示画面４に表示させる列車運行指令装置２における路線図形式の列車在線状況画面５上から任意の列車６を選択した時に、列車６に対して登録可能な列番の一覧を登録可能列番リストアップ部７へ表示し、表示された登録可能列番８の中から任意の列番を、ポインタ９を用いて選択しクリックすることにより、選択された列番を列車へ登録する。
【００１４】
本実施例の列車列番登録方法は、軌道上に在線している列車の状況をディスプレイ３の表示画面４に表示させる列車運行指令装置２における、列車在線状況画面５に表示された運転整理対象の列車６を選択したときに列車６に登録可能な列番の一覧を登録可能列番リストアップ部７へ表示し、登録可能列番の一覧８から登録対象である列番１０を選択することによって任意の列番を登録する方法である。図２に示すように、列車在線状況画面５に表示された運転整理対象となる列車６を、ポインタ９を用いて選択したときに、選択された列車６に登録可能な列番の一覧を表示するために、選択された列車６の状態（在線位置など）を取得する処理１２と、処理１２で取得した列車状態から判断し、あらかじめ列車運行指令装置２に登録されたすべての列番から登録可能なものを検索し一覧８を作成する処理１３と、一覧８を列車在線状況画面５の登録可能列番リストアップ部７に表示させる表示処理１４と、列車在線状況画面５の登録可能列番リストアップ部７に表示された一覧８から任意に選択された列番を列車６に登録する処理１５とを含む。これにより、登録可能列番の検索・入力操作が省かれるので、指令員の運転指令操作の負担を軽減することなどができる。
【図面の簡単な説明】
【００１５】
【図１】実施例の列車列番登録方式が適用される列車運転整理装置の一実施形態の全体構成を示す図。
【図２】実施例の列車列番登録方式が適用される列車運転整理装置の一実施形態の全体構成を示す機能ブロック図。
【符号の説明】
【００１６】
１  列車運行制御装置
２  列車運行指令装置
３  ディスプレイ
４  表示画面
５  列車在線状況画面
６  列車
７  登録可能列番リストアップ部
８  登録可能列番
９  ポインタ
１０  登録対象列番
１１  ポインティングデバイス
１２  列車状態取得処理
１３  登録可能列番検索・一覧作成処理
１４  登録可能列番表示処理
１５  列番登録処理
【図１】
2008037290.tif 000003
【図２】
2008037290.tif 000004